(57)【要約】  スリーブ（２）と、錠剤スタックを保持するための、スリーブ（２）内でガイドされるマガジン（３）とを備える、錠剤ディスペンサ（１）が提案される。マガジンは、充填目的で、マガジン長手方向（４）にばね（５）の力に抗して部分的にスリーブ（２）から外へ押出し可能であり、かつ上端で、キャップ（６）を、揺動位置調整可能に保持し、キャップ（６）は、ばね（７）の力に抗して、静止位置から供給位置へ揺動位置調整可能であり、かつ装飾ヘッド（８）を支持する。装飾ヘッドの好適な固定状態を得るために、キャップ（６）は、横方向ガイド（９）を有し、横方向ガイド（９）に、少なくとも２つの部品から構成された、特に少なくとも二枚貝状に構成された装飾ヘッド（８）が、マガジン長手方向（４）に対して横方向に被せられていることが提案される。
2021514333.tif 000002
【特許請求の範囲】
【請求項１】
スリーブ（２）と、錠剤スタックを保持するための、前記スリーブ（２）内でガイドされるマガジン（３）とを備える、錠剤ディスペンサ（１）であって、前記マガジン（３）は、充填目的で、マガジン長手方向（４）にばね（５）の力に抗して部分的に前記スリーブ（２）から外へ押出し可能であり、かつ上端で、キャップ（６）を、揺動位置調整可能に保持し、該キャップ（６）は、ばね（７）の力に抗して、静止位置から供給位置へ揺動位置調整可能であり、かつ装飾ヘッド（８）を支持する、錠剤ディスペンサ（１）において、
前記キャップ（６）は、横方向ガイド（９）を有し、該横方向ガイド（９）に、少なくとも２つの部品から構成された、特に少なくとも二枚貝状に構成された前記装飾ヘッド（８）が、前記マガジン長手方向（４）に対して横方向に被せられていることを特徴とする、錠剤ディスペンサ（１）。
【請求項２】
前記キャップ（６）は、ヘッド側で、ヘッド部分（１０）とキャップボディ（１１）との間に、前記横方向ガイド（９）を形成する引っ込んだキャップネック（１２）を有することを特徴とする、請求項１に記載の錠剤ディスペンサ。
【請求項３】
二枚貝状の前記装飾ヘッド（８）の両方のシェル（１３、１４）には、前記横方向ガイド（９）に係合するばね弾性的な突出部（１５）が備え付けられていることを特徴とする、請求項１または２に記載の錠剤ディスペンサ。
【請求項４】
ばね弾性的な前記突出部（１５）は、端部側で、前記横方向ガイド（９）の方へ突出する係止突起（１６）を有し、該係止突起（１６）は、前記シェル（１３，１４）の組付け状態で、前記キャップネック（１２）の対応する溝（１７）に掛止するように係合することを特徴とする、請求項３に記載の錠剤ディスペンサ。
【請求項５】
二枚貝状の前記装飾ヘッド（８）の両方の前記シェル（１３，１４）は、突合せ側で接合面（１８）にわたって接合し、その際、接合幅（１９）の分だけ重なり合うことを特徴とする、請求項１から４までのいずれか１項に記載の錠剤ディスペンサ。
【請求項６】
二枚貝状の前記装飾ヘッド（８）の両方の前記シェル（１３，１４）は、前記キャップ（６）を少なくともその大部分で包囲することを特徴とする、請求項１から５までのいずれか１項に記載の錠剤ディスペンサ。
【請求項７】
二枚貝状の前記装飾ヘッド（８）の両方の前記シェル（１３，１４）は、前記キャップネック（１２）を完全に包囲することを特徴とする、請求項２から６までのいずれか１項に記載の錠剤ディスペンサ。
【請求項８】
前記キャップ（６）および前記装飾ヘッド（８）は、装飾ヘッド後頭部の領域に凹部（２０）を有し、該凹部（２０）には、放出舌片（２１）が突出することを特徴とする、請求項１から６までのいずれか１項に記載の錠剤ディスペンサ。
【発明の詳細な説明】
【技術分野】
【０００１】
本発明は、錠剤ディスペンサであって、スリーブと、錠剤スタックを保持するための、スリーブ内でガイドされるマガジンとを備え、マガジンは、充填目的で、マガジン長手方向にばねの力に抗して部分的にスリーブから外へ押出し可能であり、かつ上端で、キャップを、揺動位置調整可能に保持し、キャップは、ばねの力に抗して、静止位置から供給位置へ揺動位置調整可能であり、かつ装飾ヘッドを支持する、錠剤ディスペンサ（１）に関する。
【背景技術】
【０００２】
この種の錠剤ディスペンサは、たとえばオーストリア国特許発明第３８７７６０号明細書、オーストリア国特許発明第３６２０７３号明細書および米国特許第４３１１２５１号明細書において知られている。マガジンは、充填目的で、スリーブから外へ押出し可能であり、充填後は再びスリーブ内に押し戻される。上端で、マガジンは、任意に構成された装飾ヘッドを支持するキャップを揺動位置調整可能に保持する。キャップは、装飾ヘッド後頭部の領域に放出舌片を有し、かつ装飾ヘッドとともに、別のばねの力に抗して静止位置から供給位置へ揺動位置調整可能である。キャップが装飾ヘッドとともに揺動されると、放出舌片が、錠剤スタックのうちのその都度最上位の錠剤を、取り出すために、マガジンから前方へ押す。この錠剤が取り出されると、錠剤スタックの次の錠剤がキャップへ向けて取出しチャンバ内に後ろから押し入れられる。装飾ヘッドは、射出成形法で、キャップの上に射出成形されているか、またはマガジン長手方向にキャップに被せられている。装飾ヘッドが射出成形されているときには、製造のために高い材料コストが必要である。これは、キャップに被嵌め可能な公知の装飾ヘッドの場合でも当てはまり、しかも、この装飾ヘッドには、装飾ヘッドが多くの場合にキャップに不十分にしか固定されていないという付加的な欠点が付随する。たいてい、そのような錠剤ディスペンサは、子供向けの錠剤形状のお菓子用に使用される。したがって、不適切に使用されたときでも、不意にキャップから外れる装飾ヘッドによって使用者が危険にさらされることが回避されるべきである。
【先行技術文献】
【特許文献】
【０００３】
【特許文献１】オーストリア国特許発明第３８７７６０号明細書
【特許文献２】オーストリア国特許発明第３６２０７３号明細書
【特許文献３】米国特許第４３１１２５１号明細書
【発明の概要】
【発明が解決しようとする課題】
【０００４】
したがって、本発明の根底を成す課題は、キャップ上に確実に保持され、その際、キャップに被せ嵌められた装飾ヘッドを好適には可能な限りわずかな材料コストで製造することができる、錠剤ディスペンサを提供することである。
【課題を解決するための手段】
【０００５】
この課題を、本発明は、キャップが、横方向ガイドを有し、横方向ガイドに、少なくとも２つの部品から構成された、特に少なくとも二枚貝状に構成された装飾ヘッドが、マガジン長手方向に対して横方向に被せられていることによって解決する。
【０００６】
高い強度が要求されるときには、装飾ヘッドは、中実な材料から成る少なくとも２つの部品を有することができる。装飾ヘッドの二枚貝状の構成によって、装飾ヘッドを可能な限りわずかな材料コストで製造することができることが保証される。横方向ガイドは、装飾ヘッドがキャップから引き抜かれ得ず、したがってキャップに確実に保持されていることを保証する。この場合、ガイドは、マガジン長手方向に対して横方向に延在するように向けられている。装飾ヘッドの両方のシェルは、組付けに際して、前後からまたは左右からキャップに被せられ、キャップを包囲しつつ押し合わされ、その際、相互に結合され、特に掛止され、接着され、溶接されるまたはこれに類する手段が施され、その際、横方向ガイドに係合され、これにより、キャップと装飾ヘッドとの間の確実な結合が得られる。
【０００７】
横方向ガイドは、たとえば、キャップに設けられた孔を有することができ、この孔に、装飾ヘッドシェルのピンが係合する。ただし、これにより丈夫な結合が保証されているので、キャップがヘッド側でヘッド部分とキャップボディとの間に引っ込んだキャップネックを有し、これが横方向ガイドを形成すると、特に有利である。
【０００８】
二枚貝状の装飾ヘッドの両方のシェルに、横方向ガイドに係合するばね弾性的な突出部が備え付けられていると、特に好適な組付け状態が得られる。というのもこの場合、装飾ヘッドおよびキャップが簡単に相互に係合することができるからである。そのために、ばね弾性的な突出部は、端部側で、横方向ガイドの方へ突出する係止突起を有することができ、係止突起は、シェルの組付け位置では、キャップネックの対応する溝に掛止するように係合する。
【０００９】
この場合、装飾ヘッドの両方のシェルがスムーズにかつ確実に相互に接合されていて、その接合面内で相互にスライドすることができないことをも保証するために、二枚貝状の装飾ヘッドの両方のシェルが、突合せ側で、接合部にわたって接合し、その際、接合幅の分だけ重なり合うことが提案される。
【００１０】
好適には、二枚貝状の装飾ヘッドの両方のシェルは、キャップがキャップネックをばね弾性的な突出部でもって完全に包囲するのと少なくとも同等に大部分でキャップを包囲する。これにより同様に、キャップ上の装飾ヘッドの確実な保持が保証される。放出機能を損なわないようにするために、キャップおよび装飾ヘッドが、装飾ヘッド後頭部の領域に凹部を有し、凹部に放出舌片が突出することが提案される。
【００１１】
図面には、本発明の対象が例示されている。
【図面の簡単な説明】
【００１２】
【図１】装飾ヘッドが取り外された状態で錠剤ディスペンサを斜視図で示す。
【図２】装飾ヘッドシェルの片方だけが取り外された状態で錠剤ディスペンサを別の斜視図で示す。
【図３】錠剤ディスペンサの装飾ヘッドを有するキャップを部分断面側面図で示す。
【図４】図３の装飾ヘッドを有するキャップをＩＶ−ＩＶ線に沿った断面図で示す。
【発明を実施するための形態】
【００１３】
錠剤ディスペンサ１は、スリーブ２と、このスリーブ２内でガイドされる、錠剤スタックを保持するためのマガジン３とを有する。マガジン３は、充填目的で、マガジン長手方向４にばね５の力に抗して部分的にスリーブ２から外へ押出し可能である。上端で、マガジン３は、キャップ６を揺動位置調整可能に保持し、キャップ６は、別のばね７の力に抗して、静止位置から供給位置（図３において破線が付けられている）へ揺動位置調整可能であり、かつ装飾ヘッド８を支持する。キャップ６が装飾ヘッド８とともに揺動されると、錠剤が、取り出すために、装飾ヘッド顎部の下でマガジンから前方へ押される。この錠剤が取り出されると、錠剤スタックの次の錠剤が、ばね５によって、キャップ６の方へ後ろから押される。
【００１４】
キャップ６は、横方向ガイド９を有し、横方向ガイド９に、二枚貝状に構成された装飾ヘッド８が、マガジン長手方向４に対して横方向に被せられている。そのために、キャップ６は、ヘッド側で、ヘッド部分１０とキャップボディ１１との間に引っ込んだキャップネック１２を有し、キャップネック１２は、横方向ガイド９を形成する。装飾ヘッド８をキャップ６上に固定するために、二枚貝状の装飾ヘッド８の両方のシェル１３，１４に、ばね弾性的な突出部１５が備え付けられており、突出部１５は、ヘッド部分１０とキャップボディ１１との間で横方向ガイド９に係合する。その際、二枚貝状の装飾ヘッド８の両方のシェル１３，１４は、キャップ６をほぼ完全に包囲する。これと同様に、装飾ヘッド８は、キャップネック１２を、完全に、両方のシェル１３，１４によって、より詳しくはシェル１３，１４のばね弾性的な突出部１５によって包囲する。
【００１５】
ばね弾性的な突出部１５は、端部側で、横方向ガイド９の方へ突出する係止突起１６を有し、係止突起１６は、シェル１３，１４の組付け位置で、キャップネック１２の対応する溝１７に掛止するように係合する。代替的に、係止突起がキャップネックに配置されてもよく、突出部は、それとは逆向きの溝を有してよい。
【００１６】
二枚貝状の装飾ヘッド８の両方のシェル１３，１４は、突合せ側で接合面１８にわたって相互に接合し、その際、接合幅１９の分だけ重なり合う。キャップ６および装飾ヘッド８は、装飾ヘッド後頭部の領域に凹部２０を有し、凹部２０には、前述した形で、マガジン４からその都度最上位の錠剤を押し出すための放出舌片２１が突出する。
【図１】
2021514333.tif 000003
【図２】
2021514333.tif 000004
【図３】
2021514333.tif 000005
【図４】
2021514333.tif 000006
【国際調査報告】
2021514333.tif 000007
2021514333.tif 000008
2021514333.tif 000009
2021514333.tif 000010